(57)【要約】【課題】通話期間中にトラフィック帯域の割り当ての修正申告を行えるようにし、これによりトラフィック帯域の利用効率の向上と課金の適正化を図る。【解決手段】通話中に話者による通話の一時停止指示及び再開指示の入力を監視し、一時停止指示の入力が検出された場合に、ＳＤＰフィールド内のメディアタイプｍ＝audio領域及びｍ＝video領域のｂ（bandwidth）行に“ＡＳ：０”をそれぞれ記述したUPDATEメッセージを生成してＩＰネットワークへ送信する。また、再開指示の入力が検出された場合に、ＳＤＰフィールド内のメディアタイプｍ＝audio領域及びｍ＝video領域のｂ（bandwidth）行にそれぞれ、ＩＰネットワークに対しＩＰネットワークに回復を要求するトラフィック帯域“ＡＳ：１００”、“ＡＳ：１０２４”を記述したUPDATEメッセージを生成してＩＰネットワークへ送信する。【選択図】      図１
2009159159.tif 000002
【特許請求の範囲】
【請求項１】
ＳＩＰ（Session Initiation Protocol）を用いたＶｏＩＰ（Voice over IP）システムで使用され、相手端末装置との間でＩＰ（Internet Protocol）ネットワークを介して音声を含むパケットを送受信する機能を備えた通信端末装置であって、
前記通信端末装置の話者による通話の一時停止指示及び再開指示を受け付ける手段と、
前記一時停止指示を受け付けた場合に、ＳＤＰ（Session Description Protocol）フィールド内の帯域幅情報を記述する第１の領域とメディア属性を記述する第２の領域のいずれか一方に、通話の一時停止を要求するためのリクエスト情報を記述した第１のＳＩＰメッセージを生成する手段と、
前記通話の再開指示を受け付け場合に、ＳＤＰフィールド内の帯域幅情報を記述する第１の領域とメディア属性を記述する第２の領域のいずれか一方に、通話の再開を要求するためのリクエスト情報を記述した第２のＳＩＰメッセージを生成する手段と、
前記生成された第１及び第２のＳＩＰメッセージを前記ＩＰネットワークへ送信する手段と
を具備することを特徴とする通信端末装置。
【請求項２】
ＳＩＰ（Session Initiation Protocol）を用いたＶｏＩＰ（Voice over IP）システムで使用され、相手端末装置との間でＩＰ（Internet Protocol）ネットワークを介して音声を含むパケットを送受信する機能を備えた通信端末装置であって、
前記通信端末装置の話者による送話音声及び相手端末装置から受信した受話音声の有無を検出する手段と、
前記送話音声及び受話音声の無音の状態が予め設定した時間以上続いたことが検出された場合に、ＳＤＰ（Session Description Protocol）フィールド内の帯域幅情報を記述する第１の領域とメディア属性を記述する第２の領域のいずれか一方に、通話の一時停止を要求するためのリクエスト情報を記述した第２のＳＩＰメッセージを生成する手段と、
前記送話音声の有音の状態が検出された場合に、前記ＳＤＰフィールド内の帯域幅情報を記述する第１の領域とメディア属性を記述する第２の領域のいずれか一方に、通話の再開を要求するためのリクエスト情報を記述した第２のＳＩＰメッセージを生成する手段と、
前記生成された第１及び第２のＳＩＰメッセージを前記ＩＰネットワークへ送信する手段と
を具備することを特徴とする通信端末装置。
【請求項３】
前記第１のＳＩＰメッセージを生成する手段は、ＳＤＰフィールド内のメディアタイプを示すｍ領域のｂ（bandwidth）行に“０”を記述したUPDATEメッセージを生成し、
前記第２のＳＩＰメッセージを生成する手段は、ＳＤＰフィールド内のメディアタイプを示すｍ領域のｂ（bandwidth）行に前記ＩＰネットワークに回復を要求するトラフィック帯域を表す情報を記述したUPDATEメッセージを生成することを特徴とする請求項１又は２記載の通信端末装置。
【請求項４】
前記第１のＳＩＰメッセージを生成する手段は、ＳＤＰフィールド内のメディアタイプを示すｍ領域のｂ（bandwidth）行に“０”を記述したre-INVITEメッセージを生成し、
前記第２のＳＩＰメッセージを生成する手段は、ＳＤＰフィールド内のメディアタイプを示すｍ領域のｂ（bandwidth）行に前記ＩＰネットワークに回復を要求するトラフィック帯域を表す情報を記述したre-INVITEメッセージを生成することを特徴とする請求項１又は２記載の通信端末装置。
【請求項５】
前記第１のＳＩＰメッセージを生成する手段は、ＳＤＰフィールド内のメディアタイプを示すｍ領域のａ（attribute）行に“inactive”を記述したUPDATEメッセージを生成し、
前記第２のＳＩＰメッセージを生成する手段は、ＳＤＰフィールド内のメディアタイプを示すｍ領域のａ（attribute）行に“sendrecv”を記述したUPDATEメッセージを生成することを特徴とする請求項１又は２記載の通信端末装置。
【請求項６】
前記第１のＳＩＰメッセージを生成する手段は、ＳＤＰフィールド内のメディアタイプを示すｍ領域のａ（attribute）行に“inactive”を記述したre-INVITEメッセージを生成し、
前記第２のＳＩＰメッセージを生成する手段は、ＳＤＰフィールド内のメディアタイプを示すｍ領域のａ（attribute）行に“sendrecv”を記述したre-INVITEメッセージを生成することを特徴とする請求項１又は２記載の通信端末装置。
【請求項７】
前記パケットに前記話者の映像を挿入して送信する手段と、前記相手端末装置から受信したパケットから映像を分離して再生する手段とを、さらに具備することを特徴とする請求項１乃至６のいずれかに記載の通信端末装置。
【発明の詳細な説明】
【技術分野】
【０００１】
この発明は、ＳＩＰ（Session Initiation Protocol（RFC3261））を用いたＶｏＩＰ（Voice over IP）システムで使用される通信端末装置に関する。
【背景技術】
【０００２】
一般に、インターネット等のＩＰネットワークを使用して端末間で音声通信を行う場合、呼制御プロトコルとしてＳＩＰが使用される。ＳＩＰを用いて呼接続を行う場合、端末はＩＰネットワークに対して通信に必要なトラフィック帯域を申告し、この申告に対しＩＰネットワークからトラフィック帯域が割り当てられると、以後この割り当てられたトラフィック帯域を使用して音声通信を行う（例えば、非特許文献１を参照。）。
【０００３】
【非特許文献１】ソフトフロント、「エッセンシャルＳＩＰ」、日経ＢＰ社、２００５年３月２２日発行、p93-125
【発明の開示】
【発明が解決しようとする課題】
【０００４】
ところが、ＳＩＰによる呼制御では、セッション確立時の申告に応じてトラフィック帯域が割り当てられると、このトラフィック帯域は通話の有無にかかわらず通信が終了してセッションが解放されるまでそのまま維持される。例えば、セッション確立中に話者が通話を保留したり、通信伝送路の品質劣化により通話が実質的な行えなくなったとしても、トラフィック帯域は当初の申告値のまま維持される。このため、通話が実質的に行われていないにもかかわらず、ネットワークはその間トラフィック帯域を提供し続けることになり、この結果トラフィック帯域の利用効率の低下を招く。また話者にとっては、上記通話が実質的に行われていない期間にも課金されるため、割高な通信料金を負担しなければならなくなる。
【０００５】
この発明は上記事情に着目してなされたもので、その目的とするところは、通話期間中にトラフィック帯域の割り当ての修正申告を行えるようにし、これによりトラフィック帯域の利用効率の向上と課金の適正化を図った通信端末装置を提供することにある。
【課題を解決するための手段】
【０００６】
上記目的を達成するためにこの発明の第１の観点は、ＳＩＰを用いたＶｏＩＰシステムで使用され、相手端末装置との間でＩＰネットワークを介して音声を含むパケットを送受信する機能を備えた通信端末装置にあって、上記通信端末装置の話者による通話の一時停止指示及び再開指示を受け付ける手段を備える。そして、上記一時停止指示を受け付けた場合に、ＳＤＰフィールド内の帯域幅情報を記述する第１の領域とメディア属性を記述する第２の領域のいずれか一方に通話の一時停止を要求するためのリクエスト情報を記述した第１のＳＩＰメッセージを生成して前記ＩＰネットワークへ送信する。また、上記第１のＳＩＰメッセージの送信後に、通話の再開指示を受け付け場合に、ＳＤＰフィールド内の帯域幅情報を記述する第１の領域とメディア属性を記述する第２の領域のいずれか一方に通話の再開を要求するためのリクエスト情報を記述した第２のＳＩＰメッセージを生成して上記ＩＰネットワークへ送信するように構成したものである。
【０００７】
したがって、通話中に例えば話者が通話を保留するべく一時停止指示を入力すると、ＳＤＰフィールド内の帯域幅情報の記述領域又はメディア属性の記述領域を使用して通話の一時停止を要求するリクエスト情報がＩＰネットワークへ送信される。また、話者が通話再開指示を入力すると、ＳＤＰフィールド内の帯域幅情報の記述領域又はメディア属性の記述領域を使用して通話の再開を要求するリクエスト情報がＩＰネットワークへ送信される。すなわち、話者による通話の一時停止指示操作及びその再開指示操作に応じて、トラフィック帯域の修正申告処理が行われる。このためＩＰネットワークでは、上記リクエスト情報に応じて、トラフィック帯域を一時的に解放し、さらに課金を停止する処理を実行することが可能となる。
【０００８】
一方、この発明の第２の観点は、通信端末装置の話者による送話音声及び相手端末装置から受信した受話音声の有音又は無音の状態を検出する手段を備える。そして、上記通信端末装置の話者による送話音声及び相手端末装置から受信した受話音声の無音の状態が予め設定した時間以上続いた場合に、ＳＤＰフィールド内の帯域幅情報を記述する第１の領域とメディア属性を記述する第２の領域のいずれか一方に通話の一時停止を要求するためのリクエスト情報を記述した第２のＳＩＰメッセージを生成して上記ＩＰネットワークへ送信する。また、上記第２のＳＩＰメッセージの送信後に、上記送話音声の有音の状態が検出された場合に、上記ＳＤＰフィールド内の帯域幅情報を記述する第１の領域とメディア属性を記述する第２の領域のいずれか一方に通話の再開を要求するためのリクエスト情報を記述した第２のＳＩＰメッセージを生成して上記ＩＰネットワークへ送信するように構成したものである。
【０００９】
したがって、通話中に送受話音声の無音状態が一定期間以上続くと、ＳＤＰフィールド内の帯域幅情報の記述領域又はメディア属性の記述領域を使用して通話の一時停止を要求するリクエスト情報がＩＰネットワークへ送信される。また、この一時停止要求の送信後に上記送話音声の有音状態が検出されると、その時点でＳＤＰフィールド内の帯域幅情報の記述領域又はメディア属性の記述領域を使用して通話の再開を要求するリクエスト情報がＩＰネットワークへ送信される。このため、上記発明の第１の観点の場合と同様に、ＩＰネットワークでは上記リクエスト情報に応じてトラフィック帯域を一時的に解放し、さらに課金を停止する処理を実行することが可能となる。しかも、音声の有無の検出結果に応じて、トラフィック帯域の修正申告処理が自動的に行われる。このため、話者による通話の一時停止指示及び再開指示の入力操作を不要にできる利点がある。
【００１０】
この発明の第１の観点及び第２の観点を実現する場合、具体的には以下のような構成が考えられる。  
第１の構成は、第１のＳＩＰメッセージを生成する手段において、ＳＤＰフィールド内のメディアタイプを示すｍ領域のｂ（bandwidth）行に“０”を記述したUPDATEメッセージを生成し、第２のＳＩＰメッセージを生成する手段において、ＳＤＰフィールド内のメディアタイプを示すｍ領域のｂ（bandwidth）行に前記ＩＰネットワークに回復を要求するトラフィック帯域を表す情報を記述したUPDATEメッセージを生成するものである。
【００１１】
第２の構成は、第１のＳＩＰメッセージを生成する手段において、ＳＤＰフィールド内のメディアタイプを示すｍ領域のｂ（bandwidth）行に“０”を記述したre-INVITEメッセージを生成し、第２のＳＩＰメッセージを生成する手段において、ＳＤＰフィールド内のメディアタイプを示すｍ領域のｂ（bandwidth）行に前記ＩＰネットワークに回復を要求するトラフィック帯域を表す情報を記述したre-INVITEメッセージを生成するものである。
【００１２】
第３の構成は、第１のＳＩＰメッセージを生成する手段において、ＳＤＰフィールド内のメディアタイプを示すｍ領域のａ（attribute）行に“inactive”を記述したUPDATEメッセージを生成し、第２のＳＩＰメッセージを生成する手段において、ＳＤＰフィールド内のメディアタイプを示すｍ領域のａ（attribute）行に“sendrecv”を記述したUPDATEメッセージを生成するものである。
【００１３】
第４の構成は、第１のＳＩＰメッセージを生成する手段において、ＳＤＰフィールド内のメディアタイプを示すｍ領域のａ（attribute）行に“inactive”を記述したre-INVITEメッセージを生成し、第２のＳＩＰメッセージを生成する手段において、ＳＤＰフィールド内のメディアタイプを示すｍ領域のａ（attribute）行に“sendrecv”を記述したre-INVITEメッセージを生成するものである。
【００１４】
またこの発明の第１及び第２の観点は、パケットに話者の映像を挿入して送信する手段と、相手端末装置から受信したパケットから映像を分離して再生する手段を、さらに具備することも特徴とする。このような構成を備えると、音声と映像を用いたテレビジョン電話中においても、その通話の状態に応じてトラフィック帯域の修正申告を行うことが可能となる。
【発明の効果】
【００１５】
要するにこの発明によれば、通話期間中にトラフィック帯域の割り当ての修正申告を行うことが可能となり、これによりトラフィック帯域の利用効率の向上と課金の適正化を図った通信端末装置を提供することができる。
【発明を実施するための最良の形態】
【００１６】
以下、図面を参照してこの発明に係わる実施形態を説明する。
（第１の実施形態）  
この発明の第１の実施形態は、通信端末装置において、通話中に話者による通話の一時停止指示及び再開指示の入力を監視し、一時停止指示の入力が検出された場合に、ＳＤＰ（Session Description Protocol (RFC4566)）フィールド内のメディアタイプｍ＝audio領域及びｍ＝video領域のｂ（bandwidth）行にそれぞれ“ＡＳ：０”を記述したUPDATEメッセージを生成して送信し、再開指示の入力が検出された場合に、ＳＤＰフィールド内のメディアタイプｍ＝audio領域及びｍ＝video領域のｂ（bandwidth）行にＩＰネットワークに対しＩＰネットワークに回復を要求するトラフィック帯域を表す情報を記述したUPDATEメッセージを生成し送信するようにしたものである。
【００１７】
図１は、この発明の第１の実施形態に係わる通信端末装置の構成を示すブロック図である。この通信端末装置は、話者とのマン・マシンインタフェース機能として赤外線リモコン受信部１、マイクロホン７、スピーカ８、ビデオカメラ１１及びモニタ１２を備え、また通話信号処理機能として音声処理部５及び映像処理部９を備えている。また通信端末装置は、通信処理機能として呼（ＳＩＰ）制御部４、ＩＰパケット作成部１３及びＩＰパケット受信解析部１４を備え、またネットワークインタフェース機能としてネットワークインタフェース１５を備えている。さらに通信端末装置は、制御機能としてアプリケーション制御部３及び通話有無識別レジスタ２を備えている。
【００１８】
なお、以上の各ブロックのうち音声処理部５及び映像処理部９は、例えばＤＳＰ（Digital Signal Processor）により実現され、また呼（ＳＩＰ）制御部４、ＩＰパケット作成部１３、ＩＰパケット受信解析部１４及びネットワークインタフェース１５は、ＣＰＵ（Central Processing Unit）にアプリケーション・プログラムを実行させることにより実現される。
【００１９】
赤外線リモコン受信部１は、図示しない赤外線リモコンからの話者の操作信号を受信してその入力情報をアプリケーション制御部３に通知する。なお、入力デバイスとしては赤外線リモコン以外に、Bluetooth（登録商標）等の微弱電力を使用した無線リモコンや、有線電話端末や携帯端末に設けられているダイヤルキーや機能キーを用いてもよく、またパーソナル・コンピュータ等に接続されているキーボードやマウスを使用することも可能である。
【００２０】
マイクロホン７は話者の送話音声を入力するために、またスピーカ８は受話音声を出力するためにそれぞれ用いられる。ビデオカメラ１１はテレビジョン電話を行う場合に被写体を撮像するために用いられ、またモニタ１２は受信された通信相手の映像を表示するために用いられる。なお、モニタ１２は、端末装置の動作状態を表す情報や電話帳情報等を表示するためにも用いられる。
【００２１】
音声処理部５は、上記マイクロホン７から出力されたアナログ送話信号をディジタル信号に変換したのち符号化する機能と、後述するＩＰパケット受信解析部１４から出力された受話音声の符号化データを復号してアナログ受話信号に変換する機能と、エコーキャンセラと、音声レベル調整機能等を備える。なお、音声符号化／復号方式としては例えばG.711が用いられる。
【００２２】
映像処理部９は、上記ビデオカメラ１１から出力されたアナログ映像信号を符号化して符号化映像データを生成する機能と、後述するＩＰパケット受信解析部１４から出力された符号化映像データをアナログ映像信号に復号する機能と、各アナログ映像信号の輝度調整等を行う機能を備える。なお、映像符号化／復号方式としては、例えばH.264が用いられる。
【００２３】
呼（ＳＩＰ）制御部４は、アプリケーション制御部３の指示に従い呼（ＳＩＰ）に関するプロトコル処理を実行する。ＩＰパケット作成部１３は、上記呼（ＳＩＰ）制御部４の指示に従いＳＩＰに関するＩＰパケットを生成する機能と、上記音声処理部５から出力される符号化音声データ及び上記映像処理部９から出力される符号化映像データをそれぞれＩＰパケット化する機能と、上記各ＩＰパケットをネットワークインタフェース１５へ出力する機能を備える。
【００２４】
ＩＰパケット受信解析部１４は、ネットワークインタフェース１５から出力されたＩＰパケットを解析する機能と、この解析により得られたＳＩＰに関するＩＰパケットの情報を上記呼（ＳＩＰ）制御部４に伝える機能と、音声に関するＩＰパケットに含まれる符号化音声データを上記音声処理部５へ出力すると共に、映像に関するＩＰパケットに含まれる符号化映像データを上記映像処理部９へ出力する機能を備える。
【００２５】
ネットワークインタフェース１５は、上記ＩＰパケット作成部１３から出力されたＩＰパケットにＭＡＣ（Media Access Control）アドレス等を付与したのち、ＩＰネットワークで使用する伝送フレームに変換してＩＰネットワークへ送信する機能と、ＩＰネットワークから伝送されたフレームからＩＰパケットを抽出して上記ＩＰパケット受信解析部１４へ出力する機能を備える。なお、ＩＰネットワークとしては例えばEtherネット（登録商標）が使用される。
【００２６】
アプリケーション制御部３は、端末装置の動作を統括的に制御するもので、この発明に係わる制御機能として、通話中におけるトラフィック帯域の修正申告制御機能を備えている。この修正申告制御機能は、通話中、つまりＳＩＰによるセッションの確立中に、上記赤外線リモコン受信部１から通話の一時停止指示及び再開指示が通知された場合に、通話有無識別レジスタ２に記憶されている通話状態の識別情報に従い、ＩＰネットワークに対しトラフィック帯域を修正申告するための一連の制御を実行する。
【００２７】
次に、以上のように構成された通信端末装置の動作を説明する。  
（１）通話の一時停止操作に伴う帯域修正申告の制御  
ＳＩＰによる呼が接続された状態、つまりセッションが確立された状態で、通信端末装置は以下のように通話状態の切替監視処理を実行する。図２はその制御手順と制御内容を示すフローチャートである。
【００２８】
すなわち、アプリケーション制御部３は、ステップＳ２１において、赤外線リモコン受信部１における指示の入力操作を監視している。この状態で、話者が図示しない赤外線リモコンにおいて例えば保留操作をしたとする。そうすると赤外線リモコンから送信される操作信号が赤外線リモコン受信部１で受信されてその操作情報がアプリケーション制御部３に通知される。上記操作情報が通知されるとアプリケーション制御部３は、ステップＳ２２において指示内容は通話の「一時停止指示」であるか「再開指示」であるかを判定する。
【００２９】
この判定の結果、指示内容が「一時停止指示」だったとすると、アプリケーション制御部３はステップＳ２３において、通話有無識別レジスタ２から現在の通話状態を表す情報を読み出し、この読み出した情報をもとに「通話中」であるか「一時停止中」であるか判定する。例えば、読み出した値が“１”であれば「通話中」と判定し、“０”であれば「一時停止中」と判定する。この判定の結果、「通話中」であれば、続いてＩＰネットワークに対するトラフィック帯域の修正申告制御を実行する。図３はその制御手順と制御内容を示すフローチャートである。
【００３０】
なお、上記ステップＳ２４において現在の通話状態が「一時停止中」と判定された場合には、アプリケーション制御部３はステップＳ２７により、自装置の通話状態は既に一時停止中になっていると判断する。そして、自装置の通話状態を一時停止中に保持しながらステップＳ２１により赤外線リモコンによる入力操作を監視する状態に戻る。
【００３１】
さて、トラフィック帯域の修正申告制御に移行すると、アプリケーション制御部３は先ずステップＳ３１により呼（ＳＩＰ）制御部４に対し通話の「一時停止」を通知する。そうすると呼（ＳＩＰ）制御部４は、ステップＳ３２によりＩＰパケット作成部１３に対し、トラフィック帯域の一時解放を申告するためのＳＤＰを含むUPDATE情報の作成とその送信を指示する。この指示を受け取るとＩＰパケット作成部１３は、ステップＳ３３において上記UPDATE情報を作成し、この作成したUPDATE情報にＵＤＰ／ＩＰ（User Datagram Protocol／Internet Protocol）ヘッダを付与して、ネットワークインタフェース１５からＩＰネットワークへ送信させる。  
例えば、図５中の５１，５２に示すように、メディア記述タイプのＳＤＰフィールド内において、ｍ＝audio領域のｂ（bandwidth）行、及びｍ＝video領域のｂ（bandwidth）行に、ｂ＝ＡＳ：０をそれぞれ記述したUPDATEメッセージを作成し、このUPDATEメッセージをネットワークインタフェース１５からＩＰネットワークへ送信させる。
【００３２】
これに対しＩＰネットワークの呼毎の帯域を制御・管理しかつ呼毎の課金を行うサーバ装置は、セッション確立中の通信端末装置から上記UPDATEメッセージを送信すると、このメッセージを通信相手の端末装置に転送する。そして、通信相手の端末装置から上記メッセージに対する応答である「200OK」が返送されると、上記メッセージの指示内容（ｂ行に記述された“ＡＳ：０”）に従い、当該要求元の通信端末装置に対し確保しているＩＰネットワークのトラフィック帯域を一時解放し、かつ以後の課金を停止する。そして、この処理の終了後に、上記応答メッセージ「200OK」を上記要求元の通信端末装置へ転送する。
【００３３】
呼（ＳＩＰ）制御部４は、ステップＳ３４においてＩＰネットワークからの上記応答メッセージ「200OK」の返送を監視する。そして、ネットワークインタフェース１５及びＩＰパケット受信解析部１４を介して上記応答メッセージ「200OK」を受け取ると、ステップＳ３５によりアプリケーション制御部３に対し“通話一時停止”の了承を通知し、さらにＩＰパケット作成部１３、ＩＰパケット受信解析部１４に対し、音声及び映像に関するＩＰパケットの通信停止を指示する。
【００３４】
アプリケーション制御部３は、上記“通話一時停止”の了承が通知されると、ステップＳ３６において通話有無識別レジスタ２に保持されている現在の通話状態を表す情報を、「通話中」であることを示す“１”から「一時停止中」であることを示す“０”に変更する。またそれと共にアプリケーション制御部３は、ステップＳ３７において音声処理部５及び映像処理部９に対し動作停止を指示する。
【００３５】
この結果、音声処理部５はステップＳ３８において、スピーカ８からの受話音声の出力動作を停止すると共に、マイクロホン７からの送話音声信号の入力動作を停止する。また、映像処理部９はステップＳ３９において、現在モニタ１２に表示中の受話映像を静止画像として表示し続けると共に、ビデオカメラ１１からの映像信号の入力動作を停止する。また、このとき映像処理部９は、通話を一時停止している旨の通知メッセージを生成し、この通知メッセージを上記静止画像に重畳してモニタ１２に表示させる。図７にその表示結果の一例を示す。したがって、話者は通信端末装置が通話を一時停止した状態になったことを確認することができる。
【００３６】
（２）通話の再開操作に伴う帯域回復申告の制御  
一方、上記した通話の一時停止状態において、話者が図示しない赤外線リモコンにおいて例えば保留解除操作をしたとする。そうすると赤外線リモコンから送信される操作信号が赤外線リモコン受信部１で受信されてその操作情報がアプリケーション制御部３に通知される。上記操作情報が通知されるとアプリケーション制御部３は、ステップＳ２２において指示内容は通話の「一時停止指示」であるか「再開指示」であるかを判定する。
【００３７】
この判定の結果、指示内容が「再開指示」だったとすると、アプリケーション制御部３はステップＳ２３において、通話有無識別レジスタ２から現在の通話状態を表す情報を読み出し、この読み出した情報をもとに「通話中」であるか「一時停止中」であるか判定する。この判定の結果、「一時停止中」であれば、次にＩＰネットワークに対するトラフィック帯域を回復させるための修正申告制御を実行する。図４はその制御手順と制御内容を示すフローチャートである。
【００３８】
なお、上記ステップＳ２４において現在の通話状態が「通話中」と判定された場合には、アプリケーション制御部３はステップＳ２７において、自装置の通話状態は既に通話中であると判断する。そして、通常の通話制御を行いながらステップＳ２１により赤外線リモコンによる入力操作を監視する状態に戻る。
【００３９】
さて、トラフィック帯域を回復させるための修正申告制御に移行すると、アプリケーション制御部３は先ずステップＳ４１により呼（ＳＩＰ）制御部４に対し「通話再開」を通知する。そうすると呼（ＳＩＰ）制御部４は、ステップＳ４２によりＩＰパケット作成部１３に対し、トラフィック帯域の回復を申告するためのＳＤＰを含むUPDATE情報の作成とその送信を指示する。この指示を受け取るとＩＰパケット作成部１３は、ステップＳ４３において上記UPDATE情報を作成し、この作成したUPDATE情報にＵＤＰ／ＩＰヘッダを付与して、ネットワークインタフェース１５からＩＰネットワークへ送信させる。  
例えば、図６中の６１，６２に示すように、メディア記述タイプのＳＤＰフィールド内において、ｍ＝audio領域のｂ（bandwidth）行、及びｍ＝video領域のｂ（bandwidth）行にそれぞれ、要求する帯域幅ｂ＝ＡＳ：１００、ｂ＝ＡＳ：１０２４を記述したUPDATEメッセージを作成し、このUPDATEメッセージをネットワークインタフェース１５からＩＰネットワークへ送信させる。
【００４０】
これに対しＩＰネットワークの呼毎の帯域を制御・管理しかつ呼毎の課金を行うサーバ装置は、セッションを一時解放中の通信端末装置から上記UPDATEメッセージを送信すると、このメッセージを通信相手の端末装置に転送する。そして、通信相手の端末装置から上記メッセージに対する応答である「200OK」が返送されると、上記メッセージの指示内容（ｂ行に記述された“ＡＳ：１００”、“ＡＳ：１０２４”）に従い、当該要求元の通信端末装置に対しトラフィック帯域を再度設定し、かつ以後の課金を再開する。そして、この処理の終了後に、上記応答メッセージ「200OK」を上記要求元の通信端末装置へ転送する。
【００４１】
呼（ＳＩＰ）制御部４は、ステップＳ４４においてＩＰネットワークからの上記応答メッセージ「200OK」の返送を監視する。そして、ネットワークインタフェース１５及びＩＰパケット受信解析部１４を介して上記応答メッセージ「200OK」を受け取ると、ステップＳ４５によりアプリケーション制御部３に対し“通話再開”の了承を通知し、さらにＩＰパケット作成部１３、ＩＰパケット受信解析部１４に対し、音声及び映像に関するＩＰパケットの通信再開を指示する。
【００４２】
アプリケーション制御部３は、上記“通話再開”の了承が通知されると、ステップＳ４６において通話有無識別レジスタ２に保持されている現在の通話状態を表す情報を、「一時停止中」であることを示す“０”から「通話中」であることを示す“１”に変更する。またそれと共にアプリケーション制御部３は、ステップＳ４７において音声処理部５及び映像処理部９に対し動作再開を指示する。
【００４３】
この結果、音声処理部５はステップＳ４８において、スピーカ８からの受話音声の出力動作を再開すると共に、マイクロホン７からの送話音声信号の入力動作を再開する。また、映像処理部９はステップＳ４９において、以後ＩＰパケット受信解析部１４から出力される符号化映像データを復号してその受話映像をモニタ１２に表示させると共に、ビデオカメラ１１から出力されたアナログ映像信号を符号化して上記ＩＰパケット作成部１３へ出力する。また、このとき映像処理部９は、通話中である旨の通知メッセージを生成し、この通知メッセージを上記復号された受話映像に重畳してモニタ１２に表示させる。図８にその表示結果の一例を示す。したがって、話者は通信端末装置が通話中の状態に復帰したことを確認することができる。
【００４４】
以上述べたように第１の実施形態では、通話中にアプリケーション制御部３において、話者による通話の一時停止指示及び再開指示の入力を監視し、一時停止指示の入力が検出された場合に、ＩＰパケット作成部１３によりＳＤＰフィールド内のメディアタイプｍ＝audio領域及びｍ＝video領域のｂ（bandwidth）行に“ＡＳ：０”をそれぞれ記述したUPDATEメッセージを生成して、これをネットワークインタフェース１５からＩＰネットワークへ送信している。また、再開指示の入力が検出された場合に、ＩＰパケット作成部１３によりＳＤＰフィールド内のメディアタイプｍ＝audio領域及びｍ＝video領域のｂ（bandwidth）行にそれぞれ、ＩＰネットワークに対しＩＰネットワークに回復を要求するトラフィック帯域“ＡＳ：１００”、“ＡＳ：１０２４”を記述したUPDATEメッセージを生成して、これをネットワークインタフェース１５からＩＰネットワークへ送信している。
【００４５】
したがって、通話中における話者の通話一時停止指示操作及びその再開指示操作に応じて、ＩＰネットワークに対しトラフィック帯域の一時解放及び再設定を申告するための処理が行われる。このためＩＰネットワークでは、上記申告に応じて、通信端末装置間のネットワークのトラフィック帯域を一時的に解放し、さらに課金を停止する処理を実行することができる。すなわち、通信端末装置において実質的に通話が行われる期間にのみ、通信端末装置間のネットワークのトラフィック帯域が確保され、かつ課金が行われるようにすることができる。
【００４６】
また第１の実施形態では、通話の一時停止期間中に、ＩＰパケット作成部１３及びＩＰパケット受信解析部１４の処理を停止させると共に、音声処理部５及び映像処理部９の符号化及び復号処理を停止するようにしている。このため、通話の一時停止期間中におけるこれらの回路ブロックにおける消費電力を低減することが可能となる。この効果は、電源としてバッテリを使用する携帯電話機やＰＤＡ（Personal Digital Assistant）、ノート型のパーソナル・コンピュータにあって特に有効である。
【００４７】
さらに、通話を一時停止する状態になった場合にその旨のメッセージをモニタ１２に表示し、また通話が再開されたときにその旨のメッセージをモニタ１２に表示するようにしている。このため、話者は上記表示メッセージにより装置の通話状態を確認することができる。
【００４８】
（第２の実施形態）
この発明の第２の実施形態は、通信端末装置において、通話中に送話音声及び受話音声の有無を監視する機能をさらに備え、無音の状態が予め設定した一定時間以上連続した場合に、ＳＤＰフィールド内のメディアタイプｍ＝audio領域及びメディアタイプｍ＝video領域の各ｂ（bandwidth）行に“ＡＳ：０”をそれぞれ記述したUPDATEメッセージを生成して送信する。一方、通話の一時停止中に送話音声が検出された場合に、ＳＤＰフィールド内のメディアタイプｍ＝audio領域及びメディアタイプｍ＝video領域の各ｂ（bandwidth）行にそれぞれＩＰネットワークに回復を要求するトラフィック帯域を表す情報を表す情報を記述したUPDATEメッセージを生成し送信するようにしたものである。
【００４９】
図９は、この発明の第２の実施形態に係わる通信端末装置の構成を示すブロック図である。なお、同図において前記図１と同一部分には同一符号を付して詳しい説明は省略する。この実施形態の通信端末装置には、図１に示した構成に加えて、音声検出部１６及びカウンタ１７が設けてある。
【００５０】
音声検出部１６は、一定の周期で音声処理部５から送話音声信号及び受話音声信号を取り込み、これら送話音声信号及び受話音声信号のレベルをそれぞれしきい値と比較することにより音声の有無を判定する。カウンタ１７は例えば８ビットカウンタからなり、送話音声信号及び受話音声信号がいずれも無音と判定されるごとに上記音声検出部１６によりカウント値がカウントアップされる。また、送話音声信号または受話音声信号が有音と判定されるか、又はカウント値が満了すると上記音声検出部１６により上記カウント値が初期化される。
【００５１】
また音声検出部１６は、上記カウンタ１７のカウント値を監視し、カウント値が満了すると通話有無識別レジスタ２に記憶されている通話状態の識別情報をもとに現在の通話状態が「通話中」であるか「一時停止中」であるかを判定し、その判定結果をアプリケーション制御部３に通知する。
【００５２】
アプリケーション制御部３は、上記音声検出部１６から「通話中」であるとの判定結果が通知された場合に呼（ＳＩＰ）制御部４に対し通話の一時停止指示を通知する機能と、上記音声検出部１６から「一時停止中」であるとの判定結果が通知された場合に呼（ＳＩＰ）制御部４に対し通話の再開指示を通知する機能とを備える。  
なお、この第２の実施形態においては、赤外線リモコン受信部１は赤外線リモコンからの一時停止指示及び再開指示のための操作情報を受信しないが、赤外線リモコンから送信される、発着信操作信号、終話操作信号、ダイヤル操作信号、ビデオカメラの操作信号等の一般的な操作信号を受信するために使用される。
【００５３】
次に、以上のように構成された通信端末装置の動作を説明する。  
（１）通話音声の無音検出に応じたトラフィック帯域の修正申告制御  
ＳＩＰによる呼が接続された状態、つまりセッションが確立された状態で、通信端末装置は以下のように通話音声の有無に応じた通話状態の切替監視処理を実行する。図１０はその制御手順と制御内容を示すフローチャートである。
【００５４】
すなわち、音声検出部１６は、ステップＳ１０１において一定の周期（例えば１００msec周期）で音声処理部５から送話音声信号及び受話音声信号を取り込み、ステップＳ１０２でこれら送話音声信号及び受話音声信号のレベルをしきい値と比較することにより音声の有無を判定する。そして、この判定の結果、送話音声信号及び受話音声信号が共に無音と判定されると、ステップＳ１０３によりカウンタ１７のカウント値をカウントアップする。また、このカウントアップをするごとに、ステップＳ１０４においてカウンタ１７のカウント値が満了したか否か、つまりカウント値＝0xffになったか否かを判定する。そして、カウント値が満了していなければ、ステップＳ１０１に戻ってステップＳ１０１〜ステップＳ１０４による音声の無音監視動作を継続する。
【００５５】
さて、通話中に話者が通話を一時中断し、送話音声及び受話音声がいずれも無音となる状態が所定時間連続したとする。そうすると上記カウンタ１７のカウント値が満了する。音声検出部１６は、ステップＳ１０４において上記カウンタ１７のカウント値の満了を検出すると、ステップＳ１０５で当該カウンタ１７のカウント値を0x00に初期化したのち、ステップＳ１０６において通話有無識別レジスタ２から現在の通話状態を表す情報を読み出し、この読み出した情報をもとに「通話中」であるか「一時停止中」であるかをステップＳ１０７により判定する。例えば、読み出した値が“１”であれば「通話中」と判定し、“０”であれば「一時停止中」と判定する。この判定の結果、現在の通話状態が「通話中」であれば、その旨をアプリケーション制御部３に通知する。
【００５６】
アプリケーション制御部３は、上記「通話中」の通知を受け取ると、ＩＰネットワークに対しトラフィック帯域の一時開放を要求する修正申告制御を開始する。この修正申告制御は、図３に示したフローチャートに従い前記第１の実施形態と同じ制御手順及び制御内容により以下のように実行される。
【００５７】
すなわち、アプリケーション制御部３は先ずステップＳ３１により呼（ＳＩＰ）制御部４に対し通話の「一時停止」を通知する。そうすると呼（ＳＩＰ）制御部４は、ステップＳ３２によりＩＰパケット作成部１３に対し、トラフィック帯域の一時解放を申告するためのＳＤＰを含むUPDATE情報の作成とその送信を指示する。この指示を受け取るとＩＰパケット作成部１３は、ステップＳ３３において上記UPDATE情報を作成し、この作成したUPDATE情報にＵＤＰ／ＩＰヘッダを付与して、ネットワークインタフェース１５からＩＰネットワークへ送信させる。
【００５８】
例えば、図５中の５１，５２に示すように、メディア記述タイプのＳＤＰフィールド内において、ｍ＝audio領域のｂ（bandwidth）行、及びｍ＝video領域のｂ（bandwidth）行に、ｂ＝ＡＳ：０をそれぞれ記述したUPDATEメッセージを作成し、このUPDATEメッセージをネットワークインタフェース１５からＩＰネットワークへ送信させる。
【００５９】
これに対しＩＰネットワークの呼毎の帯域を制御・管理しかつ呼毎の課金を行うサーバ装置は、セッション確立中の通信端末装置から上記UPDATEメッセージを送信すると、このメッセージを通信相手の端末装置に転送する。そして、通信相手の端末装置から上記メッセージに対する応答である「200OK」が返送されると、上記メッセージの指示内容（ｂ行に記述された“ＡＳ：０”）に従い、当該要求元の通信端末装置に対し確保しているＩＰネットワークのトラフィック帯域を一時解放し、かつ以後の課金を停止する。そして、この処理の終了後に、上記応答メッセージ「200OK」を上記要求元の通信端末装置へ転送する。
【００６０】
呼（ＳＩＰ）制御部４は、ステップＳ３４においてＩＰネットワークからの上記応答メッセージ「200OK」の返送を監視する。そして、ネットワークインタフェース１５及びＩＰパケット受信解析部１４を介して上記応答メッセージ「200OK」を受け取ると、ステップＳ３５によりアプリケーション制御部３に対し“通話一時停止”の了承を通知し、さらにＩＰパケット作成部１３、ＩＰパケット受信解析部１４に対し、音声及び映像に関するＩＰパケットの通信停止を指示する。
【００６１】
アプリケーション制御部３は、上記「通話一時停止」の了承が通知されると、ステップＳ３６において通話有無識別レジスタ２に保持されている現在の通話状態を表す情報を、「通話中」であることを示す“１”から「一時停止中」であることを示す“０”に変更する。またそれと共にアプリケーション制御部３は、ステップＳ３７において音声処理部５及び映像処理部９に対し動作停止を指示する。
【００６２】
この結果、音声処理部５はステップＳ３８において、スピーカ８からの受話音声の出力動作を停止すると共に、マイクロホン７からの送話音声信号の入力動作を停止する。また、映像処理部９はステップＳ３９において、現在モニタ１２に表示中の受話映像を静止画像として表示し続けると共に、ビデオカメラ１１からの映像信号の入力動作を停止する。また、このとき映像処理部９は、通話を一時停止している旨の通知メッセージを生成し、この通知メッセージを例えば図７に示すように上記静止画像に重畳してモニタ１２に表示させる。したがって、話者は通信端末装置が通話を一時停止した状態になったことを確認することができる。
【００６３】
なお、上記ステップＳ１０７において現在の通話状態が「一時停止中」と判定された場合には、音声検出部１６はステップＳ１０１に戻り、上記ステップＳ１０１〜ステップＳ１０４による音声の無音監視処理をやり直す。
【００６４】
（２）送話音声の検出に応じたトラフィック帯域回復のための修正申告制御  
一方、上記ステップＳ１０１〜ステップＳ１０４による音声の無音監視動作中に、話者が送話音声をマイクロホン７に入力したとする。この送話音声は、音声処理部５を介して音声検出部１６により検出される。音声検出部１６は、上記送話音声を検出すると、ステップＳ１０２からステップＳ１０８に移行し、ここで通話有無識別レジスタ２から現在の通話状態を表す情報を読み出す。そして、この読み出した情報をもとに「通話中」であるか「一時停止中」であるかステップＳ１０９により判定する。この判定の結果、「一時停止中」であれば、ステップＳ１１３によりカウンタのカウント値を初期化（0x00）し、その旨をアプリケーション制御部３に通知する。
【００６５】
アプリケーション制御部３は、上記「一時停止中」の通知を受け取ると、ＩＰネットワークに対しトラフィック帯域の回復を要求する修正申告制御を開始する。この修正申告制御は、図４に示したフローチャートに従い前記第１の実施形態と同じ制御手順及び制御内容により以下のように実行される。
【００６６】
すなわち、アプリケーション制御部３は先ずステップＳ４１により呼（ＳＩＰ）制御部４に対し、トラフィック帯域の回復を申告するためのＳＤＰを含むUPDATE情報の作成とその送信を指示する。この指示を受け取るとＩＰパケット作成部１３は、ステップＳ４３において上記UPDATE情報を作成し、この作成したUPDATE情報にＵＤＰ／ＩＰヘッダを付与して、ネットワークインタフェース１５からＩＰネットワークへ送信させる。
【００６７】
例えば、図６中の６１，６２に示すように、メディア記述タイプのＳＤＰフィールド内において、ｍ＝audio領域のｂ（bandwidth）行、及びｍ＝video領域のｂ（bandwidth）行にそれぞれ、要求する帯域幅ｂ＝ＡＳ：１００、ｂ＝ＡＳ：１０２４を記述したUPDATEメッセージを作成し、このUPDATEメッセージをネットワークインタフェース１５からＩＰネットワークへ送信させる。
【００６８】
これに対しＩＰネットワークの呼毎の帯域を制御・管理しかつ呼毎の課金を行うサーバ装置は、セッションを一時解放中の通信端末装置から上記UPDATEメッセージを送信すると、このメッセージを通信相手の端末装置に転送する。そして、通信相手の端末装置から上記メッセージに対する応答である「200OK」が返送されると、上記メッセージの指示内容（ｂ行に記述された“ＡＳ：１００”、“ＡＳ：１０２４”）に従い、当該要求元の通信端末装置に対しトラフィック帯域を再度設定し、かつ以後の課金を再開する。そして、この処理の終了後に、上記応答メッセージ「200OK」を上記要求元の通信端末装置へ転送する。
【００６９】
呼（ＳＩＰ）制御部４は、ステップＳ４４においてＩＰネットワークからの上記応答メッセージ「200OK」の返送を監視する。そして、ネットワークインタフェース１５及びＩＰパケット受信解析部１４を介して上記応答メッセージ「200OK」を受け取ると、ステップＳ４５によりアプリケーション制御部３に対し“通話再開”の了承を通知し、さらにＩＰパケット作成部１３、ＩＰパケット受信解析部１４に対し、音声及び映像に関するＩＰパケットの通信再開を指示する。
【００７０】
アプリケーション制御部３は、上記“通話再開”の了承が通知されると、ステップＳ４６において通話有無識別レジスタ２に保持されている現在の通話状態を表す情報を、「一時停止中」であることを示す“０”から「通話中」であることを示す“１”に変更する。またそれと共にアプリケーション制御部３は、ステップＳ４７において音声処理部５及び映像処理部９に対し動作再開を指示する。
【００７１】
この結果、音声処理部５はステップＳ４８において、スピーカ８からの受話音声の出力動作を再開すると共に、マイクロホン７からの送話音声信号の入力動作を再開する。また、映像処理部９はステップＳ４９において、以後ＩＰパケット受信解析部１４から出力される符号化映像データを復号してその受話映像をモニタ１２に表示させると共に、ビデオカメラ１１から出力されたアナログ映像信号を符号化して上記ＩＰパケット作成部１３へ出力する。また、このとき映像処理部９は、通話中である旨の通知メッセージを生成し、この通知メッセージを上記復号された受話映像に図８に示すように重畳してモニタ１２に表示させる。したがって、話者は通信端末装置が通話中の状態に復帰したことを確認することができる。
【００７２】
なお、上記通話有無識別レジスタ２から読み出した情報が「通話中」であることを示す“１”だった場合には、音声検出部１６はステップＳ１１０によりカウンタ１７のカウント値を読み取り、この読み取ったカウント値が“０”であるか否かをステップＳ１１１で判定する。そして、カウント値が“０”であればステップＳ１０１に戻り、一方カウント値が“０”以外であれば当該カウンタ１７のカウント値を初期化（0x00）したのち、上記ステップＳ１０１に戻る。
【００７３】
以上説明したように第２の実施形態では、通話中に送話音声及び受話音声の有無を監視し、無音の状態が予め設定した一定時間以上連続した場合に、ＳＤＰフィールド内のメディアタイプｍ＝audio領域及びメディアタイプｍ＝video領域の各ｂ（bandwidth）行に“ＡＳ：０”をそれぞれ記述したUPDATEメッセージを生成して送信する。一方、上記通話の一時停止中に送話音声が検出されると、ＳＤＰフィールド内のメディアタイプｍ＝audio領域及びメディアタイプｍ＝video領域の各ｂ（bandwidth）行にそれぞれＩＰネットワークに回復を要求するトラフィック帯域を表す情報を表す情報を記述したUPDATEメッセージを生成し送信するようにしている。
【００７４】
したがって、送話音声及び受話音声の有無に応じて、ＩＰネットワークに対しトラフィック帯域の一時解放及び再設定を申告するための処理が実行される。このため、ＩＰネットワークでは、上記申告に応じて通信端末装置間のネットワークのトラフィック帯域を一時的に解放し、さらに課金を停止する処理を実行することができる。すなわち、通信端末装置において実質的に通話が行われる期間にのみ、通信端末装置間のネットワークのトラフィック帯域が確保され、かつ課金が行われるようにすることができる。
【００７５】
また、トラフィック帯域の一時解放及び再設定を申告するための処理が、送話音声及び受話音声の有無に応じて自動的に行われる。このため、トラフィック帯域設定処理及び課金処理を最適な状態に制御することができ、また話者は通話の一時停止操作及び再開操作を行う必要がなくなり、これにより話者の操作性が向上される。
【００７６】
さらに、前記第１の実施形態と同様に、通話の一時停止期間中にＩＰパケット作成部１３及びＩＰパケット受信解析部１４の処理を停止させると共に、音声処理部５及び映像処理部９の符号化及び復号処理を停止するようにしている。このため、通話の一時停止期間中におけるこれらの回路ブロックにおける消費電力を低減することが可能となる。この効果は、電源としてバッテリを使用する携帯電話機やＰＤＡ、ノート型のパーソナル・コンピュータにあって特に有効である。
【００７７】
さらに、通話を一時停止する状態になった場合にその旨のメッセージをモニタ１２に表示し、また通話が再開されたときにその旨のメッセージをモニタ１２に表示するようにしている。このため、話者は上記表示メッセージにより装置の通話状態を確認することができる。
【００７８】
（その他の実施形態）  
第１及び第２の実施形態では、通話を一時停止する場合に、図５に示すようにＳＤＰフィールド内のメディアタイプｍ＝audio領域及びメディアタイプｍ＝video領域の各ｂ（bandwidth）行に“ＡＳ：０”をそれぞれ記述したUPDATEメッセージを送信するようにした。しかし、それに限るものではなく、ＳＤＰフィールド内のメディアタイプｍ＝audio領域及びメディアタイプｍ＝video領域の各ｂ（bandwidth）行に“ＡＳ：０”をそれぞれ記述したre-INVITEメッセージを生成して送信するようにしてもよい。
【００７９】
また、例えば図１１の１２１，１２２に示すように、ＳＤＰフィールド内のメディアタイプｍ＝audio領域及びｍ＝video領域の各ａ（attribute）行に“inactive”を記述したUPDATEメッセージを生成して送信するようにしてもよい。さらには、ＳＤＰフィールド内のメディアタイプｍ＝audio領域及びｍ＝video領域の各ａ（attribute）行に“inactive”を記述したre-INVITEメッセージを生成して送信するようにしてもよい。
【００８０】
一方、第１及び第２の実施形態では、通話を再開する場合に、ＳＤＰフィールド内のメディアタイプｍ＝audio領域及びｍ＝video領域の各ｂ（bandwidth）行にそれぞれ、ＩＰネットワークに対しＩＰネットワークに回復を要求するトラフィック帯域“ＡＳ：１００”、“ＡＳ：１０２４”を記述したUPDATEメッセージを生成して送信するようにした。しかし、それに限るものではなく、ＳＤＰフィールド内のメディアタイプｍ＝audio領域及びｍ＝video領域の各ｂ（bandwidth）行にそれぞれ、ＩＰネットワークに対しＩＰネットワークに回復を要求するトラフィック帯域“ＡＳ：１００”、“ＡＳ：１０２４”を記述したre-INVITEメッセージを生成して送信するようにしてもよい。
【００８１】
また、ＳＤＰフィールド内のメディアタイプを示すｍ領域＝audio領域及びｍ＝video領域の各ａ（attribute）行に“sendrecv”をそれぞれ記述したUPDATEメッセージを生成して送信してもよく、さらにはＳＤＰフィールド内のメディアタイプを示すｍ領域＝audio領域及びｍ＝video領域の各ａ（attribute）行に“sendrecv”をそれぞれ記述したre-INVITEメッセージを生成して送信してもよい。
【００８２】
なお、通話を一時停止する際に生成して送信するメッセージの構成、及び通話を再開する際に生成して送信するメッセージの構成は、以上述べた各種例に限定されるものではなく、その他にも種々の変形が可能である。
【００８３】
また、第１の実施形態において説明した、通話中に話者による通話の一時停止指示及び再開指示の入力を監視する機能と、第２の実施形態において説明した、送話音声及び受話音声の有音または無音の状態を監視する機能の両方を備え、送話音声及び受話音声の無音の状態が検出された場合だけでなく、話者の通話停止指示が入力された場合にもトラフィック帯域を一時的に解放するリクエスト情報を送信するようにしてもよい。このようにすると、例えば周辺雑音レベルが大きく無音状態が検出され難い通話環境下においても、実質的に通話を行わない期間には話者の操作によりトラフィック帯域を一時的に解放させることが可能となる。
【００８４】
さらに、前記第１及び第２の実施形態では、テレビジョン電話機能を備えた通信端末装置を例にとって説明したが、必ずしもテレビジョン電話機能を備える必要はなく、音声による通話機能のみを備えた通信端末装置にもこの発明は適用可能である。その他、通信端末装置の種類やその構成、制御手順と制御内容、ＩＰネットワークの種類等についても、この発明の要旨を逸脱しない範囲で種々変形して実施できる。
【００８５】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００８６】
【図１】この発明の第１の実施形態に係わる通信端末装置の構成を示すブロック図である。
【図２】図１に示した通信端末装置による通話状態の切替監視制御の手順と内容を示すフローチャートである。
【図３】図２に示した通話状態の切替監視制御において通話の一時中止指示が検出された場合の、トラフィック帯域の修正申告制御手順とその内容を示すフローチャートである。
【図４】図２に示した通話状態の切替監視制御において通話の再開指示が検出された場合の、トラフィック帯域の回復申告制御手順とその内容を示すフローチャートである。
【図５】図３に示したトラフィック帯域の修正申告制御により生成されるＳＩＰメッセージの一例を示す図である。
【図６】図４に示したトラフィック帯域の回復申告制御により生成されるＳＩＰメッセージの一例を示す図である。
【図７】図３に示したトラフィック帯域の修正申告制御後に端末のモニタ画面に表示されるアナウンスメッセージの一例を示す図である。
【図８】図３に示したトラフィック帯域の回復申告制御後に端末のモニタ画面に表示されるアナウンスメッセージの一例を示す図である。
【図９】この発明の第２の実施形態に係わる通信端末装置の構成を示すブロック図である。
【図１０】図９に示した通信端末装置による有音／無音監視制御の手順と内容を示すフローチャートである。
【図１１】図３に示したトラフィック帯域の修正申告制御により生成されるＳＩＰメッセージの他の例を示す図である。
【符号の説明】
【００８７】
１…赤外線リモコン受信部、２…通話有無識別レジスタ、３…アプリケーション制御部、４…呼（ＳＩＰ）制御部、５…音声処理部、７…マイクロホン、８…スピーカ、９…映像処理部、１１…ビデオカメラ、１２…モニタ、１３…ＩＰパケット作成部、１４…ＩＰパケット受信解析部、１５…ネットワークインタフェース、１６…音声検出部、１７…カウンタ。
【図１】
2009159159.tif 000003
【図２】
2009159159.tif 000004
【図３】
2009159159.tif 000005
【図４】
2009159159.tif 000006
【図５】
2009159159.tif 000007
【図６】
2009159159.tif 000008
【図７】
2009159159.tif 000009
【図８】
2009159159.tif 000010
【図９】
2009159159.tif 000011
【図１０】
2009159159.tif 000012
【図１１】
2009159159.tif 000013